(57)【要約】      （修正有）【課題】付箋の内容が課題であることを示す課題型を付与することができる情報処理装置を提供する。【解決手段】情報処理装置の付箋受付モジュールは、付箋を受け付け、タイプ処理モジュールは、付箋受付モジュールによって受け付けられた付箋の型（タイプ）に関する処理を行い、タイプ付与モジュールは、台紙に貼り付けることができる付箋に対して、該付箋の内容が課題であることを示す課題型を付与することができる。さらに、課題型以外に、付箋の内容が課題に対する解決策であることを示す解決策型、付箋の内容が課題及び解決策以外であることを示す通常型を付与することができる。【選択図】図１
2019125170.tif 000002
【特許請求の範囲】
【請求項１】
台紙に貼り付けることができる付箋に対して、該付箋の内容が課題であることを示す課題型を付与することができる型付与手段
を有する情報処理装置。
【請求項２】
前記型付与手段は、前記課題型以外に、前記付箋の内容が前記課題に対する解決策であることを示す解決策型を付与することができる、
請求項１に記載の情報処理装置。
【請求項３】
前記型付与手段は、前記課題型と前記解決策型以外に、前記付箋の内容が前記課題及び前記解決策以外であることを示す通常型を付与することができる、
請求項２に記載の情報処理装置。
【請求項４】
前記課題型の付箋と前記解決策型の付箋は、木構造を構成している、
請求項２又は３に記載の情報処理装置。
【請求項５】
前記台紙に貼り付けられている付箋の型が課題型である場合、該台紙上に領域を有しているユーザーが該台紙を用いた会合に参加している場合は、該ユーザーが該付箋を確認したことを示す記号を該台紙上に提示する提示手段
をさらに有する請求項１に記載の情報処理装置。
【請求項６】
前記台紙上では、時系列に付箋が貼り付けられており、
前記提示手段は、前記記号を該時系列にしたがって提示する、
請求項５に記載の情報処理装置。
【請求項７】
前記台紙に貼り付けられている付箋の型が解決策型である場合、ユーザーが有している該台紙上の領域に、該付箋を移動したときは、該ユーザーに該付箋の解決策を担当させる、
請求項１に記載の情報処理装置。
【請求項８】
前記付箋が他のユーザーの領域に移動させられた場合、該他のユーザーからの許可を得るようにする、
請求項７に記載の情報処理装置。
【請求項９】
コンピュータを、
台紙に貼り付けることができる付箋に対して、該付箋の内容が課題であることを示す課題型を付与することができる型付与手段
として機能させるための情報処理プログラム。
【発明の詳細な説明】
【技術分野】
【０００１】
本発明は、情報処理装置及び情報処理プログラムに関する。
【背景技術】
【０００２】
特許文献１には、電子ファイルとの関係を明確にして電子付箋を作成し、利便性のよい電子付箋の貼り付けを実現することを課題とし、起動中のアプリケーション、又はこのアプリケーションで開かれているファイルに電子付箋を貼り付けするシステムにおいて、システムフックを使用して、起動中のアプリケーションがウィンドウメッセージを受け取り時に、アプリケーション又は関連する該ファイルの識別情報を取得して電子付箋の対象リストを生成し、これにより任意のアプリケーション又は関連する該ファイルの識別情報を含む電子付箋を作成し保存し、電子付箋の貼り替えに際しては、ファイルの表示、非表示に連動した電子付箋の表示、非表示を可能とすることが開示されている。
【０００３】
特許文献２には、ウェブページのコンテンツのレイアウトや構造の変化に追随して電子付箋の表示位置を変えることを課題とし、コンピュータに、電子付箋の貼り付けが指定されたウェブページのコンテンツの場所を示す位置情報を基に前記ウェブページの中から前記電子付箋の貼り付け場所に最も類似する場所を推定するステップと、前記推定された場所に前記電子付箋が表示されるように前記ウェブページのソースを書き換えるステップと、を実行させるための電子付箋生成表示プログラムであって、前記位置情報は、前記電子付箋の貼り付けが指定されたコンテンツの場所のタグ、属性、及びタグ内の内容を含み、前記電子付箋の貼り付け場所に最も類似する場所は、前記タグ、前記属性、及び前記タグ内の内容の一致数が最大となる場所であることが開示されている。
【先行技術文献】
【特許文献】
【０００４】
【特許文献１】特開２０１０−０６６８６８号公報
【特許文献２】特許第５７０４５０８号公報
【発明の概要】
【発明が解決しようとする課題】
【０００５】
課題の抽出や、課題に対する解決策を抽出する会合が行われる場合がある。このような会合において、台紙に、課題又は解決策を記載した付箋を貼り付ける作業が行われている。
しかし、付箋には型を付与することができず、例えば、会合の参加者は、台紙上の付箋の内容を読まないと、課題、解決策、それ以外の内容であることが分からない。
本発明は、付箋の内容が課題であることを示す課題型を付与することができる情報処理装置及び情報処理プログラムを提供することを目的とする。
【課題を解決するための手段】
【０００６】
かかる目的を達成するための本発明の要旨とするところは、次の各項の発明に存する。
請求項１の発明は、台紙に貼り付けることができる付箋に対して、該付箋の内容が課題であることを示す課題型を付与することができる型付与手段を有する情報処理装置である。
【０００７】
請求項２の発明は、前記型付与手段は、前記課題型以外に、前記付箋の内容が前記課題に対する解決策であることを示す解決策型を付与することができる、請求項１に記載の情報処理装置である。
【０００８】
請求項３の発明は、前記型付与手段は、前記課題型と前記解決策型以外に、前記付箋の内容が前記課題及び前記解決策以外であることを示す通常型を付与することができる、請求項２に記載の情報処理装置である。
【０００９】
請求項４の発明は、前記課題型の付箋と前記解決策型の付箋は、木構造を構成している、請求項２又は３に記載の情報処理装置である。
【００１０】
請求項５の発明は、前記台紙に貼り付けられている付箋の型が課題型である場合、該台紙上に領域を有しているユーザーが該台紙を用いた会合に参加している場合は、該ユーザーが該付箋を確認したことを示す記号を該台紙上に提示する提示手段をさらに有する請求項１に記載の情報処理装置である。
【００１１】
請求項６の発明は、前記台紙上では、時系列に付箋が貼り付けられており、前記提示手段は、前記記号を該時系列にしたがって提示する、請求項５に記載の情報処理装置である。
【００１２】
請求項７の発明は、前記台紙に貼り付けられている付箋の型が解決策型である場合、ユーザーが有している該台紙上の領域に、該付箋を移動したときは、該ユーザーに該付箋の解決策を担当させる、請求項１に記載の情報処理装置である。
【００１３】
請求項８の発明は、前記付箋が他のユーザーの領域に移動させられた場合、該他のユーザーからの許可を得るようにする、請求項７に記載の情報処理装置である。
【００１４】
請求項９の発明は、コンピュータを、台紙に貼り付けることができる付箋に対して、該付箋の内容が課題であることを示す課題型を付与することができる型付与手段として機能させるための情報処理プログラムである。
【発明の効果】
【００１５】
請求項１の情報処理装置によれば、付箋の内容が課題であることを示す課題型を付与することができる。
【００１６】
請求項２の情報処理装置によれば、課題型以外に、付箋の内容が課題に対する解決策であることを示す解決策型を付与することができる。
【００１７】
請求項３の情報処理装置によれば、課題型と解決策型以外に、付箋の内容が課題及び解決策以外であることを示す通常型を付与することができる。
【００１８】
請求項４の情報処理装置によれば、課題型の付箋と解決策型の付箋は、木構造を構成することができる。
【００１９】
請求項５の情報処理装置によれば、台紙上に領域を有しているユーザーがその台紙を用いた会合に参加している場合は、そのユーザーが課題型の付箋を確認したことを示す記号をその台紙上に提示することができる。
【００２０】
請求項６の情報処理装置によれば、台紙上では、時系列に付箋が貼り付けられており、その時系列にしたがって記号を提示することができる。
【００２１】
請求項７の情報処理装置によれば、ユーザーが有している台紙上の領域に、解決策型の付箋を移動したときは、そのユーザーにその付箋の解決策を担当させることができる。
【００２２】
請求項８の情報処理装置によれば、付箋が他のユーザーの領域に移動させられた場合、そのユーザーからの許可を得るようにすることができる。
【００２３】
請求項９の情報処理プログラムによれば、付箋の内容が課題であることを示す課題型を付与することができる。
【図面の簡単な説明】
【００２４】
【図１】本実施の形態の構成例についての概念的なモジュール構成図である。
【図２】本実施の形態を利用した電子付箋システム構成例を示す説明図である。
【図３】本実施の形態が使用される会議室等における、電子付箋端末、情報処理装置の使用例を示す説明図である。
【図４】会合情報テーブルのデータ構造例を示す説明図である。
【図５】台紙情報テーブルのデータ構造例を示す説明図である。
【図６】メッセージ付箋提示台紙テーブルのデータ構造例を示す説明図である。
【図７】ユーザー領域テーブルのデータ構造例を示す説明図である。
【図８】付箋情報テーブルのデータ構造例を示す説明図である。
【図９】ジョブ付箋管理テーブルのデータ構造例を示す説明図である。
【図１０】課題とジョブの木構造の例を示す説明図である。
【図１１】本実施の形態による処理例を示すフローチャートである。
【図１２】本実施の形態による処理例を示すフローチャートである。
【図１３】本実施の形態による処理例を示すフローチャートである。
【図１４】本実施の形態による処理例を示すフローチャートである。
【図１５】本実施の形態による処理例を示す説明図である。
【図１６】本実施の形態による処理例を示す説明図である。
【図１７】本実施の形態による処理例を示す説明図である。
【図１８】本実施の形態による処理例を示す説明図である。
【図１９】本実施の形態による処理例を示す説明図である。
【図２０】本実施の形態による処理例を示す説明図である。
【図２１】本実施の形態による処理例を示す説明図である。
【図２２】本実施の形態による処理例を示す説明図である。
【図２３】本実施の形態による処理例を示す説明図である。
【図２４】本実施の形態による処理例を示す説明図である。
【図２５】本実施の形態による処理例を示す説明図である。
【図２６】本実施の形態による処理例を示す説明図である。
【図２７】本実施の形態を実現するコンピュータのハードウェア構成例を示すブロック図である。
【発明を実施するための形態】
【００２５】
以下、図面に基づき本発明を実現するにあたっての好適な一実施の形態の例を説明する。
図１は、本実施の形態の構成例についての概念的なモジュール構成図を示している。
なお、モジュールとは、一般的に論理的に分離可能なソフトウェア（コンピュータ・プログラム）、ハードウェア等の部品を指す。したがって、本実施の形態におけるモジュールはコンピュータ・プログラムにおけるモジュールのことだけでなく、ハードウェア構成におけるモジュールも指す。それゆえ、本実施の形態は、それらのモジュールとして機能させるためのコンピュータ・プログラム（コンピュータにそれぞれの手順を実行させるためのプログラム、コンピュータをそれぞれの手段として機能させるためのプログラム、コンピュータにそれぞれの機能を実現させるためのプログラム）、システム及び方法の説明をも兼ねている。ただし、説明の都合上、「記憶する」、「記憶させる」、これらと同等の文言を用いるが、これらの文言は、実施の形態がコンピュータ・プログラムの場合は、記憶装置に記憶させる、又は記憶装置に記憶させるように制御するという意味である。また、モジュールは機能に一対一に対応していてもよいが、実装においては、１モジュールを１プログラムで構成してもよいし、複数モジュールを１プログラムで構成してもよく、逆に１モジュールを複数プログラムで構成してもよい。また、複数モジュールは１コンピュータによって実行されてもよいし、分散又は並列環境におけるコンピュータによって１モジュールが複数コンピュータで実行されてもよい。なお、１つのモジュールに他のモジュールが含まれていてもよい。また、以下、「接続」とは物理的な接続の他、論理的な接続（データの授受、指示、データ間の参照関係、ログイン等）の場合にも用いる。「予め定められた」とは、対象としている処理の前に定まっていることをいい、本実施の形態による処理が始まる前はもちろんのこと、本実施の形態による処理が始まった後であっても、対象としている処理の前であれば、そのときの状況・状態にしたがって、又はそれまでの状況・状態にしたがって定まることの意を含めて用いる。「予め定められた値」が複数ある場合は、それぞれ異なった値であってもよいし、２以上の値（もちろんのことながら、全ての値も含む）が同じであってもよい。また、「Ａである場合、Ｂをする」という記載は、「Ａであるか否かを判断し、Ａであると判断した場合はＢをする」の意味で用いる。ただし、Ａであるか否かの判断が不要である場合を除く。また、「Ａ、Ｂ、Ｃ」等のように事物を列挙した場合は、断りがない限り例示列挙であり、その１つのみを選んでいる場合（例えば、Ａのみ）を含む。
また、システム又は装置とは、複数のコンピュータ、ハードウェア、装置等がネットワーク（一対一対応の通信接続を含む）等の通信手段で接続されて構成されるほか、１つのコンピュータ、ハードウェア、装置等によって実現される場合も含まれる。「装置」と「システム」とは、互いに同義の用語として用いる。もちろんのことながら、「システム」には、人為的な取り決めである社会的な「仕組み」（社会システム）にすぎないものは含まない。
また、各モジュールによる処理毎に又はモジュール内で複数の処理を行う場合はその処理毎に、対象となる情報を記憶装置から読み込み、その処理を行った後に、処理結果を記憶装置に書き出すものである。したがって、処理前の記憶装置からの読み込み、処理後の記憶装置への書き出しについては、説明を省略する場合がある。なお、ここでの記憶装置としては、ハードディスク、ＲＡＭ（Ｒａｎｄｏｍ  Ａｃｃｅｓｓ  Ｍｅｍｏｒｙ）、外部記憶媒体、通信回線を介した記憶装置、ＣＰＵ（Ｃｅｎｔｒａｌ  Ｐｒｏｃｅｓｓｉｎｇ  Ｕｎｉｔ）内のレジスタ等を含んでいてもよい。
【００２６】
本実施の形態である情報処理装置１００（電子付箋制御装置）は、会合において用いられる台紙と付箋（電子付箋、電子カード等ともいわれる）に関する処理を行うものであって、図１の例に示すように、付箋受付モジュール１０５、タイプ処理モジュール１１０、付箋管理モジュール１２５、課題・ジョブ管理モジュール１４５、会合・台紙・付箋情報記憶モジュール１６５、ジョブ管理モジュール１７０を有している。なお、会合は、複数人が集まって話し合うことであればよく、例えば、会議、ワークショップ、アイデア抽出会、検討会、相談、議論、集会、ミーティング等を含む。本実施の形態は、電子的な付箋と台紙を利用した電子付箋システム（電子白板等ともいわれる）にかかるものである。
情報処理装置１００は、具体的には、付箋を用いて、ファシリテーター（一般的には１人）と複数人の参加者によって行われる会合で利用される。参加者は参加者用端末としての電子付箋端末２５０を用いて、アイデア等が記載された付箋を作成する。一般的に、図３の例に示すように、電子付箋端末２５０として、各参加者が所持する電子付箋端末２５０Ａ、電子付箋端末２５０Ｂ等（以下、代表して電子付箋端末２５０という）のように複数ある。そして、情報処理装置１００は、電子付箋端末２５０から付箋を受け取って、台紙（又は背景）上にその付箋を貼り付ける。ファシリテーターは情報処理装置１００の表示装置である共有画面を用いて、その台紙上で、付箋の位置を決定又は変更したり、付箋をまとめたり（第１の付箋と第２の付箋を関連付けること、グループ形成等ともいわれる）、自らも付箋情報の作成等を行って、その会合を進行させる。なお、本実施の形態において、参加者には、ファシリテーターを含む。また、付箋は、メッセージともいう。
【００２７】
付箋受付モジュール１０５は、タイプ処理モジュール１１０、付箋管理モジュール１２５と接続されている。付箋受付モジュール１０５は、付箋を受け付ける。電子付箋端末２５０から付箋を受け付けるようにしてもよいし、情報処理装置１００のユーザー（一般的にはファシリテーター）の操作によって作成された付箋を受け付けるようにしてもよいし、台紙・付箋情報記憶装置２９４等に記憶されている付箋を受け付けるようにしてもよい。
そして、付箋受付モジュール１０５は、付箋をタイプ処理モジュール１１０、付箋管理モジュール１２５に渡す。
【００２８】
タイプ処理モジュール１１０は、タイプ確認モジュール１１５、タイプ付与モジュール１２０を有しており、付箋受付モジュール１０５、会合・台紙・付箋情報記憶モジュール１６５と接続されている。タイプ処理モジュール１１０は、付箋受付モジュール１０５によって受け付けられた付箋の型（タイプ）に関する処理を行う。
タイプ確認モジュール１１５は、付箋に型が付与されているか否かを確認する。なお、付箋に型を付与するのは、付箋が作成された後（例えば、付箋に内容が記載された後）であってもよいし、型が付与された付箋を作成してもよい。なお、後者の場合は、付箋の内容は空白となる。
【００２９】
タイプ付与モジュール１２０は、台紙に貼り付けることができる付箋に対して、その付箋の内容の種類を示す型を付与する。型の付与として、ユーザーの操作によって型を付与してもよいし、付箋の内容を判断して型を付与してもよい。前者の操作例として、付箋上で型を列記したメニューを表示させ、その型を選択するようにしてもよい。後者の例として、付箋の内容に「課題」等との記載があれば課題型とし、付箋の内容に「解決策」、「ジョブ」、「アクション」等との記載があれば解決策型としてもよい。また、後者の別の例として、予め教師データ（既に型が付与された付箋）を用いて、付箋に記載された内容と型との関連付けを機械学習を行うようにしてもよい。そして、機械学習されたモデルを用いて、付箋に型を付与するようにしてもよい。
タイプ付与モジュール１２０は、台紙に貼り付けることができる付箋に対して、その付箋の内容が課題であることを示す課題型を付与することができる。
そして、タイプ付与モジュール１２０は、課題型以外に、付箋の内容が課題に対する解決策（アクション、ジョブ等ともいわれる。以下、ジョブともいう）であることを示す解決策型を付与することができる。
さらに、タイプ付与モジュール１２０は、課題型と解決策型以外に、付箋の内容が課題及び解決策以外であることを示す通常型を付与することができる。なお、通常型とは、課題型ではなく、解決策型でもない型である。
【００３０】
付箋管理モジュール１２５は、付箋編集モジュール１３０、付箋提示モジュール１３５を有しており、付箋受付モジュール１０５、課題・ジョブ管理モジュール１４５、会合・台紙・付箋情報記憶モジュール１６５、ジョブ管理モジュール１７０と接続されている。付箋管理モジュール１２５は、付箋を管理する。
付箋編集モジュール１３０は、ユーザーの操作に応じて、付箋の内容を編集する。
付箋提示モジュール１３５は、課題・ジョブ付箋提示モジュール１４０を有している。付箋提示モジュール１３５は、台紙上に付箋を提示する。
また、付箋提示モジュール１３５は、台紙上では、時系列に付箋が貼り付けられているように提示してもよい。ここでの時系列には、その付箋が作成された順番であってもよいし、その付箋が修正された順番（修正されていない場合は、作成されたときが修正されたときとする）であってもよい。そして、会合の参加者であるユーザー毎に、付箋を時系列に提示してもよい。例えば、台紙上にユーザーの領域を定めておき、その中で共通の時間軸で付箋を貼り付けるようにしてもよい。
また、付箋提示モジュール１３５は、課題型の付箋、解決策型の付箋、通常型の付箋の別を、会合の参加者にも分かりやすくするために、付箋の形態（色、形、枠線の太さ等）を区別するようにしてもよい。
課題・ジョブ付箋提示モジュール１４０は、台紙に貼り付けられている課題型の付箋と解決策型の付箋を提示する。
また、課題・ジョブ付箋提示モジュール１４０は、台紙に貼り付けられている付箋の型が課題型である場合、その台紙上に領域を有しているユーザーがその台紙を用いた会合に参加している場合は、そのユーザーがその付箋を確認したことを示す記号をその台紙上に提示するようにしてもよい。なお、ユーザーが課題型の付箋を確認したか否かの判断処理は、課題・ジョブ管理処理モジュール１６０が行う。
また、課題・ジョブ付箋提示モジュール１４０は、その記号を時系列にしたがって提示するようにしてもよい。
【００３１】
課題・ジョブ管理モジュール１４５は、課題・ジョブ関連付モジュール１５０、ジョブ・担当者関連付モジュール１５５、課題・ジョブ管理処理モジュール１６０を有しており、付箋管理モジュール１２５、会合・台紙・付箋情報記憶モジュール１６５、ジョブ管理モジュール１７０と接続されている。課題・ジョブ管理モジュール１４５は、課題とその課題に対する解決策とを管理する。
課題・ジョブ関連付モジュール１５０は、課題とその課題に対する解決策とを関連付ける（紐付ける）。例えば、ユーザーの操作に応じて、課題型の付箋と解決策型の付箋との関連付けを行う。具体的には、課題型の付箋に重複させた付箋を、解決策型の付箋として関連付けるようにしてもよい。
ジョブ・担当者関連付モジュール１５５は、解決策型の付箋における解決策を担当するユーザーを関連付ける（紐付ける）。
また、ジョブ・担当者関連付モジュール１５５は、台紙に貼り付けられている付箋の型が解決策型である場合、ユーザーが有しているその台紙上の領域に、その付箋を移動したときは、そのユーザーにその付箋の解決策を担当させるようにしてもよい。
また、ジョブ・担当者関連付モジュール１５５は、付箋が他のユーザー（Ｂ）の領域に移動させられた場合、その他のユーザー（Ｂ）からの許可を得るようにしてもよい。
【００３２】
課題・ジョブ管理処理モジュール１６０は、課題型の付箋を参加者に確認させる。この課題・ジョブ管理処理モジュール１６０による確認処理の結果を示す記号を、課題・ジョブ付箋提示モジュール１４０が提示する。具体的な処理例を、図１３を用いて後述する。
また、課題・ジョブ管理処理モジュール１６０は、課題型の付箋と解決策型の付箋が、木構造を構成するように管理する。
具体的に、木構造は以下のように作成される。
（１）課題をブレークダウンした場合は、最初の課題の付箋を親とし、ブレークダウンした課題の付箋が子となる。
（２）解決策をさらに小さな解決策に分解した場合は、最初の解決策の付箋を親とし、分割した解決策の付箋が子となる。
そして、課題抽出と課題解決策抽出のサイクルが回っている場合は、（３）課題を抽出し、その課題を解決するための解決策が作成されたときは、課題型の付箋を親として、その課題を解決するための解決策型の付箋が子となること、（４）解決策を実施するにあたって新たな課題が抽出されたときは、解決策型の付箋を親として、新たに抽出された課題の課題型の付箋が子となることがある。
【００３３】
会合・台紙・付箋情報記憶モジュール１６５は、タイプ処理モジュール１１０、付箋管理モジュール１２５、課題・ジョブ管理モジュール１４５と接続されている。会合・台紙・付箋情報記憶モジュール１６５は、会合、その会合で用いられる台紙、その台紙に貼り付けられている付箋に関する情報を記憶している。例えば、会合情報テーブル４００、台紙情報テーブル５００、メッセージ付箋提示台紙テーブル６００、ユーザー領域テーブル７００、付箋情報テーブル８００を記憶している。
図４は、会合情報テーブル４００のデータ構造例を示す説明図である。会合情報テーブル４００は、会合・台紙・付箋情報記憶モジュール１６５に記憶されている。会合情報テーブル４００は、会合ＩＤ欄４１０、会合名欄４１５、日時欄４２０、台紙ＩＤ欄４２５、参加人数欄４３０、参加者ＩＤ欄４３５を有している。会合ＩＤ欄４１０は、本実施の形態において、会合を一意に識別するための情報（会合ＩＤ：ＩＤｅｎｔｉｆｉｃａｔｉｏｎ）を記憶している。会合名欄４１５は、その会合の会合名を記憶している。日時欄４２０は、その会合が行われた日時（年、月、日、時、分、秒、秒以下、又はこれらの組み合わせであってもよい）又は期間を記憶している。台紙ＩＤ欄４２５は、本実施の形態において、その会合で用いられた台紙を一意に識別するための情報（台紙ＩＤ）を記憶している。参加人数欄４３０は、その会合における参加人数を記憶している。参加者ＩＤ欄４３５は、本実施の形態において、参加者を一意に識別するための情報（参加者ＩＤのリスト）を記憶している。
【００３４】
図５は、台紙情報テーブル５００のデータ構造例を示す説明図である。台紙情報テーブル５００は、会合・台紙・付箋情報記憶モジュール１６５に記憶されている。台紙情報テーブル５００は、台紙ＩＤ欄５１０、台紙パターンＩＤ欄５１５、作成日時欄５２０、作成者欄５２５を有している。台紙ＩＤ欄５１０は、台紙ＩＤを記憶している。台紙パターンＩＤ欄５１５は、背景となる台紙パターンＩＤを記憶している。例えば、白紙のパターン、表形式のパターン等がある。さらに、台紙パターンとして、例えば、タスク管理用の台紙パターンとしてもよい。具体的には、会合参加者（解決策の担当者となり得る者としてもよい）の名称又は似顔絵のアイコンを描く領域が予め定められており、会合の参加者が決定した時点で、その名称又はアイコンを描くようにしたものであってもよい。さらに、参加者の領域に区切られているパターン（メッセージ付箋提示台紙）として、後述する図１５の例に示すように、横軸を付箋の貼付日時（作成日時、修正日時等であってもよい）、縦軸を各担当者として、各担当者に領域を割り当てたパターンを用意してもよい。メッセージ付箋提示台紙は、さらに、メッセージ付箋提示台紙テーブル６００、ユーザー領域テーブル７００によって管理されている。作成日時欄５２０は、その台紙の作成日時を記憶している。作成者欄５２５は、その台紙の作成者を記憶している。
【００３５】
図６は、メッセージ付箋提示台紙テーブル６００のデータ構造例を示す説明図である。メッセージ付箋提示台紙テーブル６００は、会合・台紙・付箋情報記憶モジュール１６５に記憶されている。メッセージ付箋提示台紙テーブル６００は、台紙ＩＤ欄６１０、時間軸欄６１５を有しており、時間軸欄６１５は、開始位置欄６２０、開始日時欄６２５、終了位置欄６３０、終了日時欄６３５を有している。台紙ＩＤ欄６１０は、台紙ＩＤを記憶している。時間軸欄６１５は、その台紙における時間軸を記憶している。開始位置欄６２０は、その時間軸の開始位置を記憶している。開始日時欄６２５は、その時間軸の開始日時を記憶している。終了位置欄６３０は、その時間軸の終了位置を記憶している。終了日時欄６３５は、その時間軸の終了日時を記憶している。
【００３６】
図７は、ユーザー領域テーブル７００のデータ構造例を示す説明図である。ユーザー領域テーブル７００は、会合・台紙・付箋情報記憶モジュール１６５に記憶されている。ユーザー領域テーブル７００は、ユーザーＩＤ欄７１０、台紙上の領域欄７１５、付箋ＩＤ欄７２０を有しており、付箋ＩＤ欄７２０は、課題付箋ＩＤ欄７２５、ジョブ付箋ＩＤ欄７３０、通常付箋ＩＤ欄７３５を有している。ユーザーＩＤ欄７１０は、本実施の形態において、ユーザーを一意に識別するための情報（ユーザーＩＤ）を記憶している。台紙上の領域欄７１５は、台紙上のそのユーザーの領域を記憶している。例えば、台紙上の座標において、領域を矩形として、矩形における対角の座標の組を記憶してもよい。付箋ＩＤ欄７２０は、本実施の形態において、その領域内に貼り付けられている付箋を一意に識別するための情報（付箋ＩＤ）を記憶している。課題付箋ＩＤ欄７２５は、その領域内に貼り付けられている課題型の付箋のＩＤを記憶している。ジョブ付箋ＩＤ欄７３０は、その領域内に貼り付けられている解決策型の付箋のＩＤ（ジョブ付箋ＩＤ）を記憶している。通常付箋ＩＤ欄７３５は、通常型の付箋のＩＤを記憶している。
【００３７】
図８は、付箋情報テーブル８００のデータ構造例を示す説明図である。付箋情報テーブル８００は、会合・台紙・付箋情報記憶モジュール１６５に記憶されている。付箋情報テーブル８００は、付箋ＩＤ欄８１０、台紙ＩＤ欄８１２、貼付位置欄８１５、サイズ欄８２０、作成日時欄８２５、作成者欄８３０、貼付日時欄８３５、色欄８４０、枠線形状欄８４５、枠線色欄８５０、枠線太さ欄８５５、所属グループ欄８６０、タイプ欄８６５、内容種別欄８７０、内容欄８７５を有している。付箋ＩＤ欄８１０は、付箋のＩＤを記憶している。台紙ＩＤ欄８１２は、その付箋が貼り付けられている台紙のＩＤを記憶している。貼付位置欄８１５は、その付箋が貼り付けられる位置（例えば、付箋の中心、左上端等の位置）を記憶している。つまり、台紙上の貼り付け位置を記憶している。例えば、台紙のＸＹ座標系における座標である。サイズ欄８２０は、その付箋のサイズを記憶している。例えば、提示する付箋が矩形である場合は、幅と高さを記憶している。作成日時欄８２５は、その付箋が作成された日時（年、月、日、時、分、秒、秒以下、又はこれらの組み合わせであってもよい）を記憶している。作成者欄８３０は、その付箋の作成者（作成者ＩＤ）を記憶している。又は、その付箋が作成された情報処理装置（電子付箋端末２５０又は情報処理装置１００の機器ＩＤ）を記憶してもよい。貼付日時欄８３５は、その付箋が台紙に貼り付けられた日時を記憶している。色欄８４０は、その付箋の表示色を記憶している。枠線形状欄８４５は、その付箋の表示における枠線の形状（実線、点線、破線、波線、二重線等）を記憶している。枠線色欄８５０は、その付箋の表示における枠線の色を記憶している。枠線太さ欄８５５は、その付箋の表示における枠線の太さを記憶している。所属グループ欄８６０は、その付箋が所属しているグループに関する情報を記憶している。例えば、その付箋がグループに属しているか否かを示す情報を記憶していてもよいし、グループに属している場合は、グループＩＤやそのグループに属している他の付箋ＩＤ等を記憶していてもよい。タイプ欄８６５は、その付箋の型（タイプ）を記憶している。具体的には、課題型、解決策型、通常型がある。内容種別欄８７０は、その付箋の内容種別（テキスト情報、手書き文字又は図形等を示すベクトルデータ、音声情報、写真等の静止画像情報、動画情報等、又はこれらの組み合わせを示す情報）を記憶している。内容欄８７５は、その付箋に書き込まれている内容を記憶している。
【００３８】
課題型の付箋と解決策型の付箋は、木構造を構成している。例えば、図１０に示すような木構造を有している。
課題１付箋１００５の下位にジョブ１付箋１０１０、ジョブ２付箋１０１５、ジョブ３付箋１０３５があり、ジョブ２付箋１０１５の下位に課題２付箋１０２０があり、課題２付箋１０２０の下位にジョブ２−４付箋１０２５があり、ジョブ２−４付箋１０２５の下位にジョブ２−５付箋１０３０があり、ジョブ３付箋１０３５の下位に課題３付箋１０４０、課題４付箋１０５０があり、課題３付箋１０４０の下位にジョブ３−６付箋１０４５があり、課題４付箋１０５０の下位にジョブ４１付箋１０５５、ジョブ４２付箋１０６０、ジョブ４３付箋１０６５がある。
図１０の例は、課題抽出と課題解決策抽出のサイクルが回っている場合の例を主に示している。具体的には、課題１付箋１００５とジョブ１付箋１０１０、ジョブ２付箋１０１５、ジョブ３付箋１０３５の関係は、課題を解決するための解決策が作成されたときに該当し、ジョブ３付箋１０３５と課題３付箋１０４０、課題４付箋１０５０の関係は、解決策を実施するにあたって新たな課題が抽出されたときに該当する。なお、ジョブ２−４付箋１０２５とジョブ２−５付箋１０３０の関係は、解決策をさらに小さな解決策に分解した場合に該当する。
【００３９】
ジョブ管理モジュール１７０は、付箋管理モジュール１２５、課題・ジョブ管理モジュール１４５と接続されている。ジョブ管理モジュール１７０は、解決策（ジョブ）に関する情報を記憶している。例えば、ジョブ付箋管理テーブル９００を記憶している。図９は、ジョブ付箋管理テーブル９００のデータ構造例を示す説明図である。ジョブ付箋管理テーブル９００は、ジョブ管理モジュール１７０に記憶されている。ジョブ付箋管理テーブル９００は、ジョブＩＤ欄９１０、ジョブ付箋ＩＤ欄９１５、対応課題付箋ＩＤ欄９２０、担当者ＩＤ欄９２５、割り当て日時欄９３０、経過状況欄９３５、終了日時欄９５０を有しており、経過状況欄９３５は、日時欄９４０、状況欄９４５を有している。ジョブＩＤ欄９１０は、本実施の形態において、解決策であるジョブを一意に識別するための情報（ジョブＩＤ）を記憶している。ジョブ付箋ＩＤ欄９１５は、そのジョブが記載されているジョブ付箋のＩＤを記憶している。対応課題付箋ＩＤ欄９２０は、そのジョブに対応する課題が記載されている付箋のＩＤを記憶している。担当者ＩＤ欄９２５は、本実施の形態において、そのジョブの担当者を一意に識別するための情報（担当者ＩＤ）を記憶している。割り当て日時欄９３０は、そのジョブの割り当て日時を記憶している。経過状況欄９３５は、そのジョブの経過状況を記憶している。日時欄９４０は、日時を記憶している。状況欄９４５は、その日時におけるそのジョブの状況を記憶している。終了日時欄９５０は、そのジョブの終了日時を記憶している。
【００４０】
図２は、本実施の形態を利用した電子付箋システムの構成例を示す説明図である。情報処理装置１００は、一般的に大画面の表示装置を備えており、ファシリテーターによって操作される。この表示装置は、参加者全員が見ることができるものである。各電子付箋端末２５０は、会合における参加者によって操作され、一般的には、各参加者が１台ずつ所持している。例えば、電子付箋端末２５０として、タブレット型端末等が使用される。
図２の例では、会議室２８０Ａには、情報処理装置１００Ａ、電子付箋端末２５０Ａ、電子付箋端末２５０Ｂ、電子付箋端末２５０Ｃが設置されており、会合が行われる。情報処理装置１００Ａ、電子付箋端末２５０Ａ、電子付箋端末２５０Ｂ、電子付箋端末２５０Ｃは、通信回線２９８を介してそれぞれ接続されている。通信回線２９８は、無線、有線、これらの組み合わせであってもよく、例えば、通信インフラとしてのインターネット、イントラネット等であってもよい。
また、会議室２８０Ｂには、情報処理装置１００Ｂ、電子付箋端末２５０Ｄ、電子付箋端末２５０Ｅが設置されており、会議室２８０Ａとは別個の会合が行われる。情報処理装置１００Ｂ、電子付箋端末２５０Ｄ、電子付箋端末２５０Ｅは、通信回線２９８を介してそれぞれ接続されている。
【００４１】
そして、ユーザー端末２１０Ａ、ユーザー端末２１０Ｂ、ジョブ管理装置２９０、台紙・付箋情報記憶装置２９４、会議室２８０Ａ内の機器、会議室２８０Ｂ内の機器は、通信回線２９９を介してそれぞれ接続されている。通信回線２９９は、無線、有線、これらの組み合わせであってもよく、例えば、通信インフラとしてのインターネット、イントラネット等であってもよい。また、ジョブ管理装置２９０、台紙・付箋情報記憶装置２９４による機能は、クラウドサービスとして実現してもよい。
【００４２】
ジョブ管理装置２９０は、解決策に関する情報（ジョブ管理モジュール１７０内の情報に相当）を記憶している。各情報処理装置１００は、ジョブ管理装置２９０を用いて処理を行うようにしてもよい。この場合、ジョブ管理装置２９０内の解決策に関する情報を複数の情報処理装置１００で共有してもよい。つまり、情報処理装置１００Ａが管理している解決策に関する情報を、情報処理装置１００Ｂが利用できるようにしてもよい。
また、ジョブ管理装置２９０は、解決策、つまりジョブの状況を管理する。例えば、タスク管理処理装置（ＴＯＤＯ管理装置等ともいわれる）と同等の機能を有していてもよい。具体的には、解決策の付箋に記載された内容（解決策）をＴＯＤＯ項目とし、担当者（その付箋が貼り付けられた領域のユーザー）、期限等を設定し、その進捗を管理する。進捗が変化した場合は、情報処理装置１００にその内容を送信する。特に、情報処理装置１００が完了した旨を受信した場合は、その解決策の付箋を表示装置から消去してもよい。
【００４３】
台紙・付箋情報記憶装置２９４は、台紙、付箋に関する情報（会合・台紙・付箋情報記憶モジュール１６５内の情報に相当）を記憶している。各情報処理装置１００は、台紙・付箋情報記憶装置２９４を用いて処理を行うようにしてもよい。この場合、台紙・付箋情報記憶装置２９４内の台紙と付箋に関する情報を複数の情報処理装置１００で共有してもよい。つまり、情報処理装置１００Ａが管理している台紙と付箋に関する情報を、情報処理装置１００Ｂが利用できるようにしてもよい。
【００４４】
図３は、本実施の形態が使用される会議室等（会議室２８０等）における、電子付箋端末２５０、情報処理装置１００の使用例を示す説明図である。
図３（ａ）の例に示すように、会議室等内に、参加者３１１、３１２、ファシリテーター３２１が集まっている。参加者３１１は電子付箋端末２５０Ａを利用し、参加者３１２は電子付箋端末２５０Ｂを利用する。一般的に、端末装置（電子付箋端末２５０Ａ等）は参加者１人に１個付与されており、図３（ｃ）の例に示す電子付箋端末２５０のように、ノート程度の大きさ（例えば、Ａ４、Ｂ５、７〜１０インチ等）のタブレット型の端末であり、指又はペン等を用いて操作されるものである。参加者によって、テキストデータ、手書きの文字、図形等が記載された付箋情報が作成される。なお、端末装置は、タブレット型の端末に限られず、キーボード、マウス等を備えたＰＣ（ノートＰＣを含む）等であってもよい。
図３（ａ）の例に示す情報処理装置１００ｘは、プロジェクターであって、台紙及び付箋を表示する。また、情報処理装置１００ｙは、電子白板であって、ファシリテーター３２１の指又はペン等の動きを検知して、付箋を台紙（表）に貼り付けること、付箋の移動、付箋の関連付け（グループ化）を行うこと等の操作を受け付けるものである。例えば、情報処理装置１００ｙにペンが備えられており、そのペンが予め定められたペン置きから離れたこと（ファシリテーター３２１が操作するためにペンを持ち上げたこと）、そしてペンの先端の位置（ペン先端が情報処理装置１００ｙに触れたこと等）を検知することによって、台紙、付箋に対する操作を受け付ける。例えば、ペン置きにセンサー（ペンの重力でスイッチがオンオフとなるセンサー等）を設け、複数のペン（黒色のペン、赤色のペン、青色のペン等）のうち、どのペンが用いられているかを検知すればよい。また、情報処理装置１００ｙの表示画面全体がタッチセンサーであり、表示画面に触れられた位置、圧力を検知すればよい。本例では、ペンのオンオフはペン置きによって制御するが、必ずしもペン置きがある必要はない。ペン側で直接オンオフを制御できるようにしても構わない。色の変更に関してもペン置きを必要とせずに、表示画面上の一部分にカラーパレットを用意しておき、目的の色をペン（又は、それに類するもの）がタッチすることで色を変更したり、ペンに色を変える指示をするための機能（ボタンやスライダ等）が備わっていたりしても構わない。
また、情報処理装置１００は、図３（ｂ）の例に示すような電子ボードであってもよい。電子ボードは、一般的に大画面の表示装置（少なくとも、電子付箋端末２５０の表示装置よりも大きい）を有しており、その表示装置はタッチパネルであり、表示画面に触れられた位置、圧力を検知する。例えば、画面として、８０インチ等の大きさを備えたものであってもよい。
【００４５】
図１１は、本実施の形態による処理例を示すフローチャートである。主に、型（タイプ）付与の処理例を示すものである。
ステップＳ１１０２では、付箋受付モジュール１０５は、付箋を受け付ける。
ステップＳ１１０４では、その付箋には、タイプが付与されているか否かを判断し、付与されている場合は処理を終了し（ステップＳ１１９９）、それ以外の場合はステップＳ１１０６へ進む。タイプが付与されているか否かの判断は、図８の例に示した付箋情報テーブル８００のタイプ欄８６５をチェックすればよい。
ステップＳ１１０６では、その付箋のタイプについて、ユーザーに問い合わせる。つまり、ユーザーに、対象となっている付箋にタイプを付与することを要求するものである。
【００４６】
ステップＳ１１０８では、ユーザーの指示を受け付ける。つまり、その付箋のタイプがユーザーの操作によって指定される。
ステップＳ１１１０では、タイプ付与モジュール１２０は、その付箋に、ステップＳ１１０８で受け付けたタイプを付与する。
ステップＳ１１０６〜ステップＳ１１１０の代わりに、デフォルトとして、通常型のタイプを付与してもよい。
付箋の作成時に、ユーザーの指示にしたがって、タイプを付与するようにしてもよい。また、タイプ付与後に、ユーザーの指示にしたがって、そのタイプを変更するようにしてもよい。また、付箋に記載されている内容にしたがって、タイプを付与するようにしてもよい。具体例は、タイプ付与モジュール１２０の説明で前述した。
【００４７】
図１２は、本実施の形態による処理例を示すフローチャートである。主に、課題・ジョブ付箋提示モジュール１４０による提示処理例を示すものである。
ステップＳ１２０２では、付箋の作成者を抽出する。
ステップＳ１２０４では、その作成者の台紙上の領域に、付箋の作成日時に合わせて、その付箋を貼り付ける。具体的には、図７の例に示したユーザー領域テーブル７００の台紙上の領域欄７１５と、図６の例に示したメッセージ付箋提示台紙テーブル６００、図８の例に示した付箋情報テーブル８００の作成日時欄８２５、作成者欄８３０を用いて、付箋を台紙上のユーザー領域内に貼り付ける。
【００４８】
図１３は、本実施の形態による処理例を示すフローチャートである。主に、課題・ジョブ管理処理モジュール１６０による処理であって、課題型の付箋をユーザーに確認させる処理例を示すものである。なお、会合に参加しているユーザーの他に、その会合に参加していないユーザーも対象としている。
ステップＳ１３０２では、対象となっている台紙上に、課題型の付箋があるか否かを判断し、ある場合はステップＳ１３０４へ進み、それ以外の場合は課題付箋が出現するまで待機する。
ステップＳ１３０４では、その会合の参加者を抽出する。
ステップＳ１３０６では、台紙上の領域を有しているユーザーを抽出する。
【００４９】
ステップＳ１３０８では、その会合の参加者（ステップＳ１３０４の抽出結果）と台紙上の領域を有しているユーザー（ステップＳ１３０６の抽出結果）との間で、一致するユーザーはいるか否かを判断し、いる場合はステップＳ１３１０へ進み、それ以外の場合はステップＳ１３１２へ進む。ステップＳ１３１２へ進む場合は、その会合に参加していないユーザーが台紙上で領域を有している場合に該当する。
ステップＳ１３１０では、その課題型の付箋に対して、そのユーザーは確認したことを示すマークを提示する。つまり、その台紙を用いている会合に参加しているユーザーであるので、その台紙上に貼り付けられている課題型の付箋を見ていることになるからである。
【００５０】
ステップＳ１３１２では、台紙上の領域を有しているユーザーは、電子付箋端末２５０上で確認したか否かを判断し、確認した場合はステップＳ１３１０へ進み、それ以外の場合はステップＳ１３１４へ進む。
ステップＳ１３１４では、台紙上の領域を有しているユーザーに対して、課題型の付箋の確認を促す。例えば、そのユーザーに対して、電子メール、チャット、ＳＮＳ（Ｓｏｃｉａｌ  Ｎｅｔｗｏｒｋｉｎｇ  Ｓｅｒｖｉｃｅ）にコミュニケーション機能等を用いて、課題型の付箋の内容を通知するようにしてもよい。
【００５１】
図１４は、本実施の形態による処理例を示すフローチャートである。主に、ジョブ・担当者関連付モジュール１５５による処理であって、解決策型の付箋の内容（解決策であるジョブ）を、その付箋の作成者とは異なる他のユーザーに担当させる処理例を示すものである。
ステップＳ１４０２では、付箋の作成者とは異なるユーザーの領域に移動されたか否かを判断し、移動された場合はステップＳ１４０４へ進み、それ以外の場合は移動されるまで待機する。その付箋を作成したユーザーが、その付箋の内容（解決策）を担当する場合は、ステップＳ１４０４以下の処理は不要である。
ステップＳ１４０４では、その付箋のタイプはジョブ（解決策型）であるか否かを判断し、付箋のタイプがジョブの場合はステップＳ１４０６へ進み、それ以外の場合はステップＳ１４２６へ進む。
ステップＳ１４０６では、移動操作をしたユーザーを判断し、移動元の領域のユーザーの場合（具体的には、他のユーザーにジョブを担当させる場合）はステップＳ１４０８へ進み、移動先の領域のユーザーの場合（具体的には、操作者自身がジョブを引き受ける場合）はステップＳ１４１４へ進み、移動元・移動先の領域のユーザーのいずれとも異なるユーザーの場合（具体的には、第三者（例えば、上司）が、ジョブの担当を決定する場合）はステップＳ１４２０へ進む。
【００５２】
ステップＳ１４０８では、移動先の領域のユーザーに通知する。つまり、移動先の領域のユーザーは、移動してきた付箋のジョブを担当することになるからである。
ステップＳ１４１０では、移動先の領域のユーザーによって確認されたか否かを判断し、確認された場合はステップＳ１４１２へ進み、それ以外の場合は処理を終了する（ステップＳ１４９９）。確認として、例えば、そのユーザーに対して、電子メール、チャット、ＳＮＳにコミュニケーション機能等を用いて、解決策型の付箋の内容を通知するようにしてもよい。さらに、その解決策型の付箋の元となった課題型の付箋の内容を通知するようにしてもよい。
ステップＳ１４１２では、対象となっている付箋を、他のユーザーの領域（ステップＳ１４０２での付箋の作成者とは異なるユーザーの領域）に移動する。
【００５３】
ステップＳ１４１４では、移動元の領域のユーザーに通知する。つまり、移動元の領域のユーザーは、移動された付箋のジョブの担当から外れることになるからである。
ステップＳ１４１６では、確認されたか否かを判断し、確認された場合はステップＳ１４１８へ進み、それ以外の場合は処理を終了する（ステップＳ１４９９）。
ステップＳ１４１８では、対象となっている付箋を、他のユーザーの領域（ステップＳ１４０２での付箋の作成者とは異なるユーザーの領域）に移動する。
【００５４】
ステップＳ１４２０では、移動先と移動元の領域のユーザーに通知する。つまり、移動先の領域のユーザーは、移動してきた付箋のジョブを担当することになり、移動元の領域のユーザーは、そのジョブの担当から外れることになるからである。
ステップＳ１４２２では、両者（移動先と移動元の領域のユーザー）によって確認されたか否かを判断し、確認された場合はステップＳ１４２４へ進み、それ以外の場合は処理を終了する（ステップＳ１４９９）。
ステップＳ１４２４では、対象となっている付箋を、他のユーザーの領域（ステップＳ１４０２での付箋の作成者とは異なるユーザーの領域）に移動する。
【００５５】
ステップＳ１４２６では、ジョブ以外のタイプの付箋は異なるユーザーの領域に移動できない旨の警告を行う。基本的に、付箋を作成したユーザーの領域に、その付箋を貼り付けることを原則としている。例外として、ジョブの付箋は、その付箋の内容を担当する者は、その付箋が貼り付けられた領域のユーザーであるからである。警告として、例えば、そのユーザーに対して、電子メール、チャット、ＳＮＳにコミュニケーション機能等を用いて、移動しようとした課題型又は通常型の付箋の内容を通知するようにしてもよい。
ステップＳ１４０６の処理によって、解決策型（ジョブ型）である付箋の場合には、他のユーザーにジョブを担当させる（いわゆる「押し付ける（Ｐｕｓｈ）」）、又は、他のユーザーからジョブを自分が引き受ける（いわゆる「引き取る（Ｐｕｌｌ）」）等の動作ができる。
【００５６】
図１５〜図２６を用いて、会合に参加しているユーザーとして、「Ａさん」、「Ｂさん」、「Ｃさん」がいる場合の台紙１５００の例を示す。具体的には、３人が所属するグループ内で付箋を用いてコミュニケーションを行うものである。例えば、チャットやＳＮＳにおけるコミュニケーション機能と同等のユーザーインターフェースを備えていてもよい。したがって、各付箋は、メッセージと捉えてもよい。ただし、チャット等のユーザーインターフェースでは、メッセージを重ねて表示することはしないが、本実施の形態では、付箋は重ね合わせて表示してもよい。なお、台紙１５００は、情報処理装置１００の表示装置における画面であってもよいし、電子付箋端末２５０の表示装置における画面であってもよい。
【００５７】
図１５は、本実施の形態による処理例を示す説明図である。
台紙１５００に、会合に参加しているユーザーのユーザーＡ領域１５１０、ユーザーＢ領域１５２０、ユーザーＣ領域１５３０を表示する。そして、開始日時１５４２から終了日時１５４４の時間軸１５４０を表示する。なお、時間軸１５４０は、会合の予定終了日時（又は、その会議室の予約終了日時）としてもよい。また、時間軸１５４０は、左から右に過去から現在（又は未来）になっていれば、必ずしも時間が等間隔でなくてもよい。つまり、２つの付箋を比較した場合に、より左側に貼り付けられている付箋が先に貼り付けられたことを示している。図１５の例では、メッセージ１付箋１５２２は、メッセージ２付箋１５１２よりも先に台紙に貼り付けられたことを示している。
図１５の例では、Ｂさんがメッセージ１付箋１５２２を作成し、次に、Ａさんがメッセージ２付箋１５１２を作成し、次に、Ｂさんが課題１付箋１５２４を作成したことを示している。また、ユーザーＡ領域１５１０にはメッセージ２付箋１５１２、ユーザーＢ領域１５２０にはメッセージ１付箋１５２２、課題１付箋１５２４を提示することによって、メッセージ２付箋１５１２はＡさんが作成したこと、メッセージ１付箋１５２２、課題１付箋１５２４はＢさんが作成したことを示している。なお、ＢさんとＡさんがメッセージ（メッセージ２付箋１５１２、メッセージ１付箋１５２２、課題１付箋１５２４）を発信している。その中でＢさんは「課題」として特定されたメッセージをマーキングした（課題１付箋１５２４）。
【００５８】
図１６は、本実施の形態による処理例を示す説明図である。
会合には、Ａさん、Ｂさん、Ｃさんが参加しているので、Ａさん、Ｃさんが課題を確認したことが分かる。したがって、Ａさんが確認したことを示す、ユーザーＡ領域１５１０から課題１付箋１５２４への矢印である確認マーク１６１４を表示し、Ｃさんが確認したことを示す、ユーザーＣ領域１５３０から課題１付箋１５２４への矢印である確認マーク１６１６を表示する。
【００５９】
図１７は、本実施の形態による処理例を示す説明図である。
図１６の例に示す状態の後、課題１付箋１５２４についての議論やその他の議論が行われると、メッセージ（付箋）が増加し、台紙１５００がスクロールしていく。
特定の課題１付箋１５２４についてメッセージを作成する場合は、課題１付箋１５２４をクリックするとメッセージ入力ができる。図１７に示す例の場合、Ｃさんが課題１付箋１５２４をクリックしたので、ユーザーＣ領域１５３０内にメッセージ付箋入力領域１７３２を表示し、メッセージ付箋入力領域１７３２内にメッセージ入力を促す。
【００６０】
図１８は、本実施の形態による処理例を示す説明図である。
同様に、Ａさんも課題１付箋１５２４に対してメッセージ（メッセージ４付箋１８１２）を作成し、貼り付けた。なお、課題１付箋１５２４はスクロールアウトせずに、課題提起したＢさんのエリア（ユーザーＢ領域１５２０）に留まる。また、メッセージ（メッセージ４付箋１８１２、メッセージ３付箋１８３２）が選択されると課題（課題１付箋１５２４）をピックアップし、課題（課題１付箋１５２４）が選択されるとそれに対するメッセージ（メッセージ４付箋１８１２、メッセージ３付箋１８３２）をフィルター処理してもよい。ピックアップとは、ピックアップ対象となった付箋（図１８では、課題１付箋１５２４）を他の付箋とは異なる形態（例えば、枠線を太くする、付箋内を赤色にする等）に表示することである。フィルターとは、フィルター対象となった付箋（図１８では、メッセージ４付箋１８１２、メッセージ３付箋１８３２）を抽出することである。他の付箋を消去してもよい。また、ピックアップ、フィルター処理によって、課題１付箋１５２４とメッセージ４付箋１８１２をつなぐ関連付矢印１８１４を描画し、課題１付箋１５２４とメッセージ３付箋１８３２をつなぐ関連付矢印１８３４を描画してもよい。
【００６１】
図１９は、本実施の形態による処理例を示す説明図である。
Ｃさんが課題１付箋１５２４に対して、ジョブ１付箋（割当未完了）１９１２、ジョブ２付箋（割当未完了）１９３２、ジョブ３付箋（割当未完了）１９３６を作成した。そして、ジョブ１付箋（割当未完了）１９１２はＡさんに担当してもらいたいので、ユーザーＣ領域１５３０からユーザーＡ領域１５１０にドロップした。残り２つは、割り当てなしとされている。なお、既に作成したメッセージ３付箋１８３２の型を（例えば、このメッセージ３付箋１８３２内には、解決策が記載されているので）通常型から解決策型に変更し、ジョブ２付箋（割当未完了）１９３２に変更するようにしてもよい。また、解決策型の付箋について、担当者の割り当てが完了していない状態では、図１９の例に示すように、他の付箋とは異なる形態（図１９の例では、点線の枠線）としてもよい。そして、ジョブ１付箋（割当未完了）１９１２、ジョブ２付箋（割当未完了）１９３２、ジョブ３付箋（割当未完了）１９３６は、それぞれ課題１付箋１５２４に対しての解決策が記載されている付箋であることを示す記号として、課題１付箋１５２４への矢印である関連付矢印１９１４、関連付矢印１９３４、関連付矢印１９３８を描画してもよい。
【００６２】
図２０は、本実施の形態による処理例を示す説明図である。
さらに、図１９の例に示す状態の後、Ａさんがジョブ１付箋（割当未完了）１９１２の解決策、Ｂさんがジョブ２付箋（割当未完了）１９３２の解決策、Ｃさんがジョブ３付箋（割当未完了）１９３６の解決策を引き受けたので、それぞれジョブ１付箋（割当完了）２０１２、ジョブ２付箋（割当完了）２０２２、ジョブ３付箋（割当完了）２０３２のように割り当て完了の形態（図２０の例では、実線の枠線）にする。これによって、３人が担当している課題とジョブが一覧できるようになる。なお、ジョブ１付箋（割当未完了）１９１２をユーザーＣ領域１５３０からユーザーＡ領域１５１０にドロップした際に、Ａさんにその旨のメッセージを通知し、確認されている。ジョブ２付箋（割当未完了）１９３２をユーザーＣ領域１５３０からユーザーＢ領域１５２０にドロップした際に、Ｂさんにその旨のメッセージを通知し、確認されている。
【００６３】
図２１は、本実施の形態による処理例を示す説明図である。
課題型の付箋、解決策型の付箋が増加すると、図２１の例に示すように、担当者と関連付いた付箋が、各担当者の領域内に貼り付けられる。そして、その解決策を完了すると、台紙上からその付箋を消去してもよい。
図２１の例では、ユーザーＡ領域１５１０内に、課題２付箋２１１２、ジョブ１付箋（割当完了）２０１２、ジョブ２−４付箋２１１４、ユーザーＢ領域１５２０内に、課題１付箋１５２４、ジョブ２付箋（割当完了）２０２２、ジョブ２−５付箋２１２２、ユーザーＣ領域１５３０内に、課題３付箋２１３２、ジョブ３付箋（割当完了）２０３２、ジョブ３−６付箋２１３４が貼り付けられていることを示している。また、課題型の付箋とその課題型の付箋に対応している解決策型の付箋とを対応させて貼り付けてもよい。つまり、課題とその課題の解決策とを対応付けて付箋を表示するようにしてもよい。
【００６４】
図２２は、本実施の形態による処理例を示す説明図である。
Ａさんが作成（提起）した課題型の付箋が増えて、ユーザーＡ領域１５１０内に表示できなくなった場合は、展開すると古い順に見ることができるようにしてもよい。ここでの展開として、重なり合って表示されている複数の付箋を、作成順（昇順）にユーザーＡ領域１５１０内に表示することをいう。また、他の型（解決策型、通常型）の付箋を、ユーザーＡ領域１５１０内から消去してもよい。図２２の例は、展開後の状態を示しており、作成順に、課題４付箋２２１２、課題５付箋２２１４、課題６付箋２２１６を、リスト形式で表示している。
解決策（ジョブ）についても同様に、Ａさんが担当している解決策型の付箋が増えて、ユーザーＡ領域１５１０内に表示できなくなった場合は、展開すると古い順に見ることができるようにしてもよい。
【００６５】
図２３は、本実施の形態による処理例を示す説明図である。
課題型の付箋がクリックされたことを検知すると、台紙１５００内をその課題が提起された時点（その付箋が貼り付けられた時点）に戻るようにしてもよい。図２３の例は、複数の課題型の付箋をリスト形式で表示していた場合に、ユーザーの操作によって、その中の課題１付箋（選択）２３２４がクリックされた後の状態を示している。つまり、課題１付箋（選択）２３２４が作成された時点の付箋（メッセージ２付箋１５１２、メッセージ１付箋１５２２）、記号（確認マーク１６１４、確認マーク１６１６）を表示している。
解決策（ジョブ）についても同様に、解決策型の付箋がクリックされたことを検知すると、台紙１５００内を戻るようにしてもよい。なお、解決策型の付箋の場合、戻る先は、クリックされた付箋が生成された時（最初）であってもよいし、その付箋内の解決策が完了した時（最後）であってもよい。
【００６６】
図２４は、本実施の形態による処理例を示す説明図である。
課題型の付箋に対する付箋（メッセージ）の生成ができるようにしてもよい。
解決策（ジョブ）についても同様に、解決策型の付箋に対する付箋（メッセージ）の生成と参照ができるようにしてもよい。図２４の例は、ジョブ４１付箋２４２２に対して、Ａさん、Ｃさんによって、それぞれメッセージ４２付箋２４１２、メッセージ４３付箋２４３２が生成されことを示している。この例では、関連付矢印２４１４は、ジョブ４１付箋２４２２についてメッセージ４２付箋２４１２が生成されたことを示している。関連付矢印２４３４は、ジョブ４１付箋２４２２についてメッセージ４３付箋２４３２が生成されたことを示している。
【００６７】
図２５は、本実施の形態による処理例を示す説明図である。
課題の付箋に対して、参照（フィルタリング）処理できるようにしてもよい。ここで、参照とは、フィルター処理を示しており、参照対象となった付箋と関連付けられている付箋を表示するものである。ユーザーの操作によって課題４付箋２２１２が参照された場合、その課題４付箋２２１２に関連付けて生成された付箋であるジョブ４２付箋２５１２、ジョブ４１付箋２４２２、ジョブ４３付箋２５３４を表示する。
【００６８】
図２６は、本実施の形態による処理例を示す説明図である。
図１０の例を用いて説明したように、課題型の付箋と解決策型の付箋は、木構造を構成している。つまり、課題型又は解決策型の付箋はルートであるか、課題型又は解決策型の付箋の子として生成される。
図２６の例は、課題ビューを示している。課題ビューとは、課題型の付箋と解決策型の付箋をノードとする木構造から課題型の付箋を抽出し、木構造として表示したものである。課題１付箋１５２４がルートになり、その子として課題２付箋２１１２、課題３付箋２１３２、課題４付箋２２１２があり、課題２付箋２１１２の子として課題６付箋２２１６があることを示している。そして、関連付矢印２６１２によって課題１付箋１５２４の下に課題２付箋２１１２、関連付矢印２６３２によって課題１付箋１５２４の下に課題３付箋２１３２、関連付矢印２６１４によって課題１付箋１５２４の下に課題４付箋２２１２、関連付矢印２６１６によって課題２付箋２１１２の下に課題５付箋２２１６があることを示している。
解決策（ジョブ）についても同様に、解決策ビューを表示するようにしてもよい。つまり、課題型の付箋と解決策型の付箋をノードとする木構造から解決策型の付箋を抽出し、木構造として表示したものである。
【００６９】
また、付箋が生成されると、台紙１５００内にその付箋を表示する。そして、原則として、その付箋を生成したユーザーの領域に貼り付ける。なお、解決策型の付箋は、その付箋に記載された解決策（ジョブ）の担当者の領域に貼り付けられる。そして、解決策（ジョブ）が完了すると、その解決策の付箋を台紙１５００上から消去する。なお、解決策（ジョブ）が完了したか否かは、ジョブ付箋管理テーブル９００の終了日時欄９５０を参照して判断すればよい。また、消去は、台紙１５００からの表示の消去であって、ジョブ管理モジュール１７０内からの消去は行わずに、再度表示可能としてもよい。
【００７０】
なお、本実施の形態としてのプログラムが実行されるコンピュータのハードウェア構成は、図２７に例示するように、一般的なコンピュータであり、具体的にはパーソナルコンピュータ、サーバーとなり得るコンピュータ等である。つまり、具体例として、処理部（演算部）としてＣＰＵ２７０１を用い、記憶装置としてＲＡＭ２７０２、ＲＯＭ２７０３、ＨＤ２７０４を用いている。ＨＤ２７０４として、例えばハードディスク、ＳＳＤ（Ｓｏｌｉｄ  Ｓｔａｔｅ  Ｄｒｉｖｅ）を用いてもよい。付箋受付モジュール１０５、タイプ処理モジュール１１０、タイプ確認モジュール１１５、タイプ付与モジュール１２０、付箋管理モジュール１２５、付箋編集モジュール１３０、付箋提示モジュール１３５、課題・ジョブ付箋提示モジュール１４０、課題・ジョブ管理モジュール１４５、課題・ジョブ関連付モジュール１５０、ジョブ・担当者関連付モジュール１５５、課題・ジョブ管理処理モジュール１６０等のプログラムを実行するＣＰＵ２７０１と、そのプログラムやデータを記憶するＲＡＭ２７０２と、本コンピュータを起動するためのプログラム等が格納されているＲＯＭ２７０３と、会合・台紙・付箋情報記憶モジュール１６５、ジョブ管理モジュール１７０としての機能を有する補助記憶装置（フラッシュ・メモリ等であってもよい）であるＨＤ２７０４と、キーボード、マウス、タッチスクリーン、マイク、カメラ（視線検知カメラ等を含む）等に対する利用者の操作（動作、音声、視線等を含む）に基づいてデータを受け付ける受付装置２７０６と、ＣＲＴ、液晶ディスプレイ、スピーカー等の出力装置２７０５と、ネットワークインターフェースカード等の通信ネットワークと接続するための通信回線インターフェース２７０７、そして、それらをつないでデータのやりとりをするためのバス２７０８により構成されている。これらのコンピュータが複数台互いにネットワークによって接続されていてもよい。
【００７１】
前述の実施の形態のうち、コンピュータ・プログラムによるものについては、本ハードウェア構成のシステムにソフトウェアであるコンピュータ・プログラムを読み込ませ、ソフトウェアとハードウェア資源とが協働して、前述の実施の形態が実現される。
なお、図２７に示すハードウェア構成は、１つの構成例を示すものであり、本実施の形態は、図２７に示す構成に限らず、本実施の形態において説明したモジュールを実行可能な構成であればよい。例えば、一部のモジュールを専用のハードウェア（例えば特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ：ＡＳＩＣ）等）で構成してもよく、一部のモジュールは外部のシステム内にあり通信回線で接続している形態でもよく、さらに図２７に示すシステムが複数互いに通信回線によって接続されていて互いに協調動作するようにしてもよい。また、特に、パーソナルコンピュータの他、携帯情報通信機器（携帯電話、スマートフォン、モバイル機器、ウェアラブルコンピュータ等を含む）、情報家電、ロボット、複写機、ファックス、スキャナ、プリンタ、複合機（スキャナ、プリンタ、複写機、ファックス等のいずれか２つ以上の機能を有している画像処理装置）などに組み込まれていてもよい。
【００７２】
なお、説明したプログラムについては、記録媒体に格納して提供してもよく、また、そのプログラムを通信手段によって提供してもよい。その場合、例えば、前記説明したプログラムについて、「プログラムを記録したコンピュータ読み取り可能な記録媒体」の発明として捉えてもよい。
「プログラムを記録したコンピュータ読み取り可能な記録媒体」とは、プログラムのインストール、実行、プログラムの流通等のために用いられる、プログラムが記録されたコンピュータで読み取り可能な記録媒体をいう。
なお、記録媒体としては、例えば、デジタル・バーサタイル・ディスク（ＤＶＤ）であって、ＤＶＤフォーラムで策定された規格である「ＤＶＤ−Ｒ、ＤＶＤ−ＲＷ、ＤＶＤ−ＲＡＭ等」、ＤＶＤ＋ＲＷで策定された規格である「ＤＶＤ＋Ｒ、ＤＶＤ＋ＲＷ等」、コンパクトディスク（ＣＤ）であって、読出し専用メモリ（ＣＤ−ＲＯＭ）、ＣＤレコーダブル（ＣＤ−Ｒ）、ＣＤリライタブル（ＣＤ−ＲＷ）等、ブルーレイ・ディスク（Ｂｌｕ−ｒａｙ（登録商標）  Ｄｉｓｃ）、光磁気ディスク（ＭＯ）、フレキシブルディスク（ＦＤ）、磁気テープ、ハードディスク、読出し専用メモリ（ＲＯＭ）、電気的消去及び書換可能な読出し専用メモリ（ＥＥＰＲＯＭ（登録商標））、フラッシュ・メモリ、ランダム・アクセス・メモリ（ＲＡＭ）、ＳＤ（Ｓｅｃｕｒｅ  Ｄｉｇｉｔａｌ）メモリーカード等が含まれる。
そして、前記のプログラムの全体又はその一部は、前記記録媒体に記録して保存や流通等させてもよい。また、通信によって、例えば、ローカル・エリア・ネットワーク（ＬＡＮ）、メトロポリタン・エリア・ネットワーク（ＭＡＮ）、ワイド・エリア・ネットワーク（ＷＡＮ）、インターネット、イントラネット、エクストラネット等に用いられる有線ネットワーク、又は無線通信ネットワーク、さらにこれらの組み合わせ等の伝送媒体を用いて伝送させてもよく、また、搬送波に乗せて搬送させてもよい。
さらに、前記のプログラムは、他のプログラムの一部分若しくは全部であってもよく、又は別個のプログラムと共に記録媒体に記録されていてもよい。また、複数の記録媒体に分割して記録されていてもよい。また、圧縮や暗号化等、復元可能であればどのような態様で記録されていてもよい。
【符号の説明】
【００７３】
１００…情報処理装置
１０５…付箋受付モジュール
１１０…タイプ処理モジュール
１１５…タイプ確認モジュール
１２０…タイプ付与モジュール
１２５…付箋管理モジュール
１３０…付箋編集モジュール
１３５…付箋提示モジュール
１４０…課題・ジョブ付箋提示モジュール
１４５…課題・ジョブ管理モジュール
１５０…課題・ジョブ関連付モジュール
１５５…ジョブ・担当者関連付モジュール
１６０…課題・ジョブ管理処理モジュール
１６５…会合・台紙・付箋情報記憶モジュール
１７０…ジョブ管理モジュール
２１０…ユーザー端末
２５０…電子付箋端末
２８０…会議室
２９０…ジョブ管理装置
２９４…台紙・付箋情報記憶装置
２９８、２９９…通信回線
【図１】
2019125170.tif 000003
【図２】
2019125170.tif 000004
【図３】
2019125170.tif 000005
【図４】
2019125170.tif 000006
【図５】
2019125170.tif 000007
【図６】
2019125170.tif 000008
【図７】
2019125170.tif 000009
【図８】
2019125170.tif 000010
【図９】
2019125170.tif 000011
【図１０】
2019125170.tif 000012
【図１１】
2019125170.tif 000013
【図１２】
2019125170.tif 000014
【図１３】
2019125170.tif 000015
【図１４】
2019125170.tif 000016
【図１５】
2019125170.tif 000017
【図１６】
2019125170.tif 000018
【図１７】
2019125170.tif 000019
【図１８】
2019125170.tif 000020
【図１９】
2019125170.tif 000021
【図２０】
2019125170.tif 000022
【図２１】
2019125170.tif 000023
【図２２】
2019125170.tif 000024
【図２３】
2019125170.tif 000025
【図２４】
2019125170.tif 000026
【図２５】
2019125170.tif 000027
【図２６】
2019125170.tif 000028
【図２７】
2019125170.tif 000029